(57)【要約】      （修正有）【課題】ランダムな模様が付され意匠性に優れた竹製マットを提供する。【解決手段】竹製マット１０は、竹ひご３０を緯糸とし、連結糸４０を経糸として、織りをなして形成されたマット本体２０と、マット本体の裏面側に貼着された裏貼シートとを備え、連結糸４０は、軸方向に沿って所定間隔で色が変化するように着色されており、連結糸の着色パターンが、連結糸どうしでずれることにより、ランダムな模様が形成されている。【選択図】図７
0003214646.tif 000002
【実用新案登録請求の範囲】
【請求項１】
竹ひごを緯糸とし、連結糸を経糸として、織りをなして形成されたマット本体と、
このマット本体の裏面側に貼着された裏貼りシートとを備え、
前記連結糸は、軸方向に沿って所定間隔で色が変化するように着色されており、
前記連結糸の着色パターンが、前記連結糸どうしでずれることにより、ランダムな模様が形成されていることを特徴とする竹製マット。
【請求項２】
前記マット本体は、平織で形成されている請求項１記載の竹製マット。
【請求項３】
前記連結糸は撚糸からなり、その太さは１〜１０ｍｍとされている請求項１又は記載の竹製マット。
【請求項４】
前記連結糸の色は、軸方向に沿って５０〜２００ｍｍの間隔で変化している、請求項１〜３のいずれか１項に記載の竹製マット。
【請求項５】
前記竹ひごは、前記連結糸に着色された色とは異なる色で、着色されている請求項１〜４のいずれか１つに記載の竹製マット。
【請求項６】
前記竹ひごは、連結糸に着色された色とは異なる色で、かつ単色で着色されている請求項５記載の竹製マット。
【請求項７】
前記竹ひごの幅は、１．３〜１７ｍｍとされている請求項１〜６のいずれか１つに記載の竹製マット。
【請求項８】
前記マット本体及び前記裏貼りシートの周縁には、縁取り部材が、前記マット本体及び前記裏貼りシートを挟み込んだ状態で接合されている請求項１〜７のいずれか１つに記載の竹製マット。
【請求項９】
前記竹ひごの配列間隔は、１〜１０ｍｍであり、前記連結糸の配列間隔は、１〜１０ｍｍである請求項１〜８のいずれか１つに記載の竹製マット。
【考案の詳細な説明】
【技術分野】
【０００１】
本考案は、複数の竹ひごを緯糸とし、これらを経糸で連結してなる、竹製マットに関する。
【背景技術】
【０００２】
床やフローリング等には、マットが敷かれることがある。マットには多種多様なものがあるが、天然素材である竹ひごを用いた竹製マットは、感触が良く、自然なひんやり感を得られる等の利点がある。
【０００３】
例えば、下記特許文献１には、細長い竹等からなる横棒を経糸で編組し、裏面に基布を裏打ちしてなり、マット本体の周縁に、軟質芯とこれを被覆するシートとからなる縁取部材を固着したマットが記載されている。
【０００４】
また、マットは、人目に付くものであるので、意匠性を高めたものも多い。例えば、縦縞や横縞等のストライプ模様や、市松模様や千鳥格子等のチェック模様などの、一定の規則性を有する意匠を施したものが市販されている。
【先行技術文献】
【特許文献】
【０００５】
【特許文献１】実公平４−１１５７５号公報
【考案の概要】
【考案が解決しようとする課題】
【０００６】
しかしながら、竹製のマットは、デザインが単調となりやすく、意匠性や面白味に欠ける、という不都合があった。
【０００７】
したがって、本考案の目的は、意匠性に優れた竹製マットを提供することにある。
【課題を解決するための手段】
【０００８】
上記目的を達成するため、本考案の竹製マットは、竹ひごを緯糸とし、連結糸を経糸として、織りをなして形成されたマット本体と、このマット本体の裏面側に貼着された裏貼りシートとを備え、前記連結糸は、軸方向に沿って所定間隔で色が変化するように着色されており、前記連結糸の着色パターンが、前記連結糸どうしでずれることにより、ランダムな模様が形成されていることを特徴とする。
【０００９】
本考案によれば、竹ひごを緯糸とし、連結糸を経糸として、織りをなして形成されたマット本体の前記連結糸が、軸方向に沿って所定間隔で色が変化するように着色されており、該連結糸の着色パターンが、連結糸どうしでずれることにより、ランダムな模様が形成されているので、連結糸のデザインを変えるだけで、意匠性に優れたマットを提供することができる。
【００１０】
本考案の竹製マットにおいては、前記マット本体は、平織で形成されていることが好ましい。上記態様によれば、比較的丈夫なマットを形成できると共に、連結糸による模様の形成を効果的にすることができる。
【００１１】
本考案の竹製マットにおいては、前記連結糸は撚糸からなり、その太さは１〜１０ｍｍとされていることが好ましい。上記態様によれば、連結糸は撚糸からなり、その太さは１〜１０ｍｍとされているので、連結糸に施された色を認識しやすくなり、マット本体の表面側の模様を、よりくっきりと目立たせやすくして、デザイン性がより高いマットを提供することができる。
【００１２】
本考案の竹製マットにおいては、前記連結糸の色は、軸方向に沿って５０〜２００ｍｍの間隔で変化していることが好ましい。上記態様によれば、連結糸の色が、軸方向に沿って５０〜２００ｍｍの間隔で変化していることにより、連結糸の色の変化を認識しやすくなり、デザイン性をより高めることができる。
【００１３】
本考案の竹製マットにおいては、前記竹ひごは、前記連結糸に着色された色とは異なる色で、着色されていることが好ましい。上記態様によれば、竹ひごは、連結糸に着色された色とは異なる色で、着色されているので、連結糸により施されるランダムな模様を、より目立たせることができる。
【００１４】
本考案の竹製マットにおいては、前記竹ひごは、連結糸に着色された色とは異なる色で、かつ、単色で着色されていることが好ましい。上記態様によれば、竹ひごの着色によって形成される単色の背景の中に、連結糸の軸方向に変化する色の模様が浮かびあがるので、より意匠性に優れたデザインとすることができる。
【００１５】
本考案の竹製マットにおいては、前記竹ひごの幅は、１．３〜１７ｍｍとされていることが好ましい。上記態様によれば、竹ひごの幅は、１．３〜１７ｍｍとされているので、竹ひごに対して平織された連結糸の織りパターンが、より明瞭に視認されることとなり、より意匠性に優れたデザインとすることができる。
【００１６】
本考案の竹製マットにおいては、前記マット本体及び前記裏貼りシートの周縁には、縁取り部材が、前記マット本体及び前記裏貼りシートを挟み込んだ状態で接合されていることが好ましい。上記態様によれば、マット本体及び裏貼りシートの周縁には、縁取り部材が、マット本体及び裏貼りシートを挟み込んだ状態で接合されているので、マット周縁の補強を図ることができ、マット本体や裏張りシートの周縁の破損、連結糸の端部のほつれ等を、抑制することができる。
【００１７】
本考案の竹製マットにおいては、前記竹ひごの配列間隔は、１〜１０ｍｍであり、前記連結糸の配列間隔は、１〜１０ｍｍであることが好ましい。上記態様によれば、マットの強度を保持しつつ、竹ひごによる模様と、連結糸の模様とを視認しやすくなり、意匠性をより高めることができる。
【考案の効果】
【００１８】
本考案によれば、竹ひごを緯糸とし、連結糸を経糸として、織りをなして形成されたマット本体の前記連結糸が、軸方向に沿って所定間隔で色が変化するように着色され、連結糸の着色パターンが、連結糸どうしでずれることにより、ランダムな模様が形成されているので、意匠性に優れたマットを提供することができる。
【図面の簡単な説明】
【００１９】
【図１】本考案に係る竹製マットの一実施形態を示す、分解斜視図である。
【図２】同竹製マットの斜視図である。
【図３】同竹製マットの断面図である。
【図４】同竹製マットのマット本体を構成する連結糸の拡大斜視図である。
【図５】同連結糸の拡大説明図である。
【図６】同竹製マットの平面図である。
【図７】図６のＡ部の拡大平面図である。
【図８】マット本体を構成する連結糸の製造方法の概略を示す説明図である。
【図９】マット本体の製造方法の概略を示す説明図である。
【考案を実施するための形態】
【００２０】
以下、図１〜９を参照して、本考案に係る竹製マットの、一実施形態について説明する。
【００２１】
図１〜３に示すように、この実施形態の竹製マット１０は、マット本体２０と、該マット本体２０の裏面側に貼着された裏貼シート５０と、マット本体２０及び裏貼シート５０の周縁に接合される縁取り部材６０とから構成されている。
【００２２】
まず、マット本体２０について説明する。このマット本体２０は、竹ひご３０を緯糸とし、連結糸４０を経糸として、これらが織りをなして形成される。
【００２３】
マット本体２０を構成する連結糸４０は、軸方向に沿って所定間隔で色が変化するように着色されている。図４に示すように、この実施形態の連結糸４０においては、互いに色が異なる、第１着色部４１、第２着色部４２、第３着色部４３、第４着色部が、軸方向に沿って順に配置されており、軸方向に沿って色が変化した構成となっている。更に図７に示すように、各連結糸４０に施された着色パターンは、複数の竹ひご３０を連結する際に、隣接する連結糸４０，４０どうしでずれるように構成されており、その結果、マット本体２０にランダムな模様が形成されるようになっている。
【００２４】
なお、この実施形態における連結糸４０は、４色で着色されているが、例えば、３色や、或いは、５色以上で着色してもよい。また、着色する色としては、例えば、白、黒、茶、赤、橙、黄、緑、青、紫、金、銀、灰、ピンク、シアン、マゼンタや、それ以外の色を、適宜選択することができる。
【００２５】
また、図４に示すように、各連結糸４０は、複数本の繊維を撚り合わせてなる撚糸からなっている。更に各連結糸４０の太さＤ（図５参照）は、１〜１０ｍｍとされていることが好ましい。
【００２６】
また、連結糸４０の色は、軸方向に沿って５０〜２００ｍｍの間隔で変化していることが好ましい。すなわち、図５に示すように、連結糸４０に着色された各着色部４１，４２，４３，４４の、軸方向長さＬが５０〜２００ｍｍであることが好ましい。なお、この実施形態における連結糸４０の間隔（軸方向長さＬ）は、各着色部において同じ大きさとなっているが、着色される色ごとに、間隔を変えてもよく、特に限定はされない。
【００２７】
各連結糸４０に着色を施す場合には、例えば、図８に示すような着色装置８０によって、段染め（だんだら染め）によって行うことができる。この着色装置８０は、所定方向に進行するコンベア８１と、該コンベア８１上に、コンベア８１の進行方向に沿って直交して配置された着色アーム８２と、該着色アーム８２の軸方向に沿って配置され、それぞれ異なる色の染料を吹き付け可能な複数のノズル８３とを有している。そして、撚糸である連結糸４０を束状にまとめておき、この束状の連結糸４０を、その軸方向をコンベア８１の進行方向に直交するように配置し、該コンベア８１で束状の連結糸４０を移送しつつ、コンベア上方の着色アーム８２の各ノズル８３から所定色の染料を吹き付けることで、連結糸４０の軸方向に沿って所定間隔で色が変化するように着色可能となっている。その後、束状の連結糸４０をほぐすことで、図４に示すような連結糸４０を得ることができる。なお、連結糸の着色方法としては、上記態様に限定されるものではない。
【００２８】
また、連結糸４０の材質としては、例えば、綿、ポリエステル、アクリル、ナイロン、レーヨン、ウール、ポリプロピレン（ＰＰ）等を用いることができる。
【００２９】
一方、マット本体２０を構成する竹ひご３０は、天然の毛竹を伐採した後、所定装置によって、適宜カットすることによって、細長い棒状に形成されたものである。また、この竹ひご３０は、連結糸４０に着色された色とは異なる色で、着色されていることが好ましい。例えば、紺、青、黒、緑や、それ以外の色を適宜選択することができる。なお、複数の竹ひご３０を、一本ごと異なる色に着色してもよい。更に、各竹ひご３０を、その軸方向に沿って所定間隔で色が変化するように着色してもよい。
【００３０】
ただし、竹ひご３０は、連結糸４０に着色された色とは異なる色で、かつ、単色で着色されていることが好ましい。
【００３１】
図３に示すように、竹ひご３０の幅Ｈは、１．３〜１７ｍｍとされていることが好ましい。なお、竹ひごとして青細竹を用いる場合は、その幅を１．３〜１．４ｍｍとすることが好ましく、黄竹丸竹を用いる場合は、その幅を２．０〜３．０ｍｍとすることが好ましく、黄竹扁平竹を用いる場合は、その幅を４．０〜５．５ｍｍとすることが好ましく、黄竹片を用いる場合は、その幅を７．０〜８．０ｍｍとすることが好ましく、平竹を用いる場合は、その幅を９．０〜１７ｍｍとすることが好ましい。
【００３２】
また、竹ひご３０に着色する方法としては、例えば、お湯中に竹ひご３０を入れて、そのお湯に染料を投入して、所定時間漬けることによって、着色することができる。
【００３３】
そして、図１及び図２に示すように、前記マット本体２０は、緯糸（横糸）として、所定長さで伸びる複数の上記竹ひご３０を所定間隔をあけて並列配置すると共に、経糸（縦糸）として、所定長さで伸びる複数の上記連結糸４０を、各竹ひご３０に直交するように所定間隔をあけて並列配置し、これらの複数の竹ひご３０と複数の連結糸４０とを交互に浮き沈みさせて織る、いわゆる平織をすることで形成されている。
【００３４】
より具体的には、図１に示すように、複数の竹ひご３０に対して、所定位置の連結糸４０を、上方、下方、上方、下方となるように繰り返して編むと共に、同じく複数の竹ひご３０に対して、上記の所定位置の連結糸４０に隣接する他の連結糸４０を、下方、上方、下方、上方となるように繰り返して編み、これらの編みパターンを竹ひご３０の軸方向に沿って交互に繰り返すことで、マット本体２０が形成されている。
【００３５】
なお、複数の竹ひご３０と複数の連結糸４０と織り方としては、上記のような平織のほかに、例えば、いわゆる綾織や、繻子織等であってもよく、特に限定はされない。
【００３６】
また、上記構成のマット本体２０は、周知の織機で形成することができる。例えば、図９には、その一例が示されている。このような織機７０は、従来から周知であるので、その詳細な説明は省略するが、図示しないビームの間に、経糸として複数の連結糸４０が張られていると共に、緯糸である竹ひご３０を連結糸４０間に通すシャトル７１が配置されており、連結糸４０間に竹ひご３０を通すためのヘドル７２や、連結糸４０を竹ひご３０に打ち込むためのリード７３等を備えている。そして、図示しないペダルを踏んでヘドル７２を動作させることで、経糸である連結糸４０を上下に分けて、その間にシャトル７１を介して、緯糸である竹ひご３０を一本ずつ通過させ、その後、リード７３を動作させて、連結糸４０と竹ひご３０を組み込むことで、マット本体２０が形成されるようになっている。
【００３７】
上記のようにして形成されたマット本体２０は、図７に示すように、竹ひご３０の配列間隔Ｗ１は、１〜１０ｍｍであり、連結糸４０の配列間隔Ｗ２は、１〜１０ｍｍであることが好ましい。
【００３８】
次に、上記構成からなるマット本体２０の裏面側に貼着される、裏貼シート５０について説明する。この裏貼シート５０は、マット本体２０を構成する連結糸４０のほつれを防止したり、マット本体２０の滑り止めを図るためのものである。また、この裏貼シート５０は、前記マット本体２０に適合するサイズで形成された、薄いシート状をなしている。
【００３９】
この実施形態の裏貼シート５０としては、例えば、不織布や、三次元立体編物、綿布、ＥＶＡ（エチレン酢酸ビニル）系のシート、ガーゼ、ＰＶＣ（ポリ塩化ビニル）系のシート、ＴＰＲ（熱可塑性ゴム）系のシート等を用いることができる。そして、これらの材料からなる裏貼シート５０は、接着剤や、両面テープ、熱溶着等によって、マット本体２０の裏面側に貼着されるようになっている。なお、裏貼シート５０の更に裏面側に、例えば、ＰＶＣからなるドットを、所定間隔で付着することによって、より効果的な滑り止めを図ることができる。
【００４０】
次に、マット本体２０及び裏貼シート５０の周縁に接合される、縁取り部材６０について説明する。図１に示すように、この実施形態の縁取り部材６０は、細長く伸びる帯状部材を、断面Ｕ字状をなすように屈曲させてなるものであって、マット本体２０の裏面側に裏貼シート５０を貼着した状態で、それらの縁部を挟み込んで、図示しない縫合糸や、接着剤、ピン等によって、マット本体２０及び裏貼シート５０を挟み込んだ状態で接合されている。また、縁取り部材６０としては、例えば、綿、ポリエステル、麻、麻混材、ポリプロピレン等を用いることができる。
【００４１】
以上の構造からなる竹製マット１０は、例えば、床やフローリング等に敷くためのラグマットや、或いは、キッチンマット、リビングマット、玄関マット、バスマット等に用いることができるが、その使用箇所は特に限定されない。また、本実施形態の竹製マット１０は、図６に示すように、略正方形状となっているが、一方向に長く伸びる長方形状としたり、略円形状としたり、楕円形状としたり、菱形等としたりしてもよく、その形状は特に限定されない。
【００４２】
次に、上記構造からなる竹製マット１０の、使用方法及び作用効果について説明する。
【００４３】
すなわち、この竹製マット１０においては、図７に示すように、竹ひご３０を緯糸とし、連結糸４０を経糸として、織をなして形成されたマット本体２０の連結糸４０が、第１着色部４１、第２着色部４２、第３着色部４３、第４着色部４４といったように、軸方向に沿って所定間隔で色が変化するように着色されており、かつ、各連結糸４０の着色パターンが、隣接する連結糸４０どうしでずれているので、ランダムな模様を形成することができる。このように竹製マット１０にランダムな模様を施すことができるので、従来のストライプ模様やチェック模様などを施した規則性模様を有するマットに比べて、意外性や面白味があり、ナチュラル感や風合い等を増した、意匠性に優れたマットを提供することができる。
【００４４】
また、この実施形態におけるマット本体２０は、図１や図２に示すように、平織で形成されている。そのため、比較的丈夫なマットを形成できると共に、連結糸４０による模様の形成を効果的にすることができる。
【００４５】
更に、連結糸４０は撚糸からなり、その太さＤ（図５参照）が、１〜１０ｍｍとされている場合には、連結糸４０に施された色を認識しやすくなり、マット本体２０の表面側の模様を、よりくっきりと目立たせやすくして、デザイン性がより高いマットを提供することができる。
【００４６】
また、図５に示すように、連結糸４０の色が、軸方向に沿って５０〜２００ｍｍの間隔で変化している場合には、連結糸４０の色の変化を認識しやすくなり、デザイン性をより高めることができる。
【００４７】
更に、竹ひご３０が、連結糸４０に着色された色とは異なる色で、着色されている場合には、連結糸４０により施されるランダムな模様を、より目立たせることができる。
【００４８】
また、竹ひご３０が、連結糸４０に着色された色とは異なる色で、かつ、単色で着色されている場合には、竹ひご３０の着色によって形成される単色の背景の中に、連結糸４０の軸方向に変化する色の模様が浮かびあがるので、より意匠性に優れたデザインとすることができる。
【００４９】
更に、竹ひごの３０幅Ｈ（図３参照）が、１．３〜１７ｍｍとされている場合には、竹ひご３０に対して織りをなした連結糸４０の織りパターンが、より明瞭に視認されることとなり、より意匠性に優れたデザインとすることができる。
【００５０】
また、この実施形態においては、マット本体２０及び裏貼シート５０の周縁には、縁取り部材６０が、マット本体２０及び裏貼シート５０を挟み込んだ状態で接合されているので、竹製マット１０の周縁の補強を図ることができ、マット本体２０や裏貼シート５０の周縁の破損や、連結糸４０の端部のほつれ等を、抑制することができる。
【００５１】
更に図７に示すように、竹ひご３０の配列間隔Ｗ１が１〜１０ｍｍであり、連結糸４０の配列間隔Ｗ２が１〜１０ｍｍである場合には、マット本体２０の強度を保持しつつ、竹ひご３０による模様と、連結糸４０の模様とを視認しやすくなり、意匠性をより高めることができる。
【００５２】
なお、本考案は、上述した実施形態に限定されるものではなく、本考案の要旨の範囲内で、各種の変形実施形態が可能であり、そのような実施形態も本考案の範囲に含まれる。
【符号の説明】
【００５３】
１０  竹製マット
２０  マット本体
３０  竹ひご
４０  連結糸
４１  第１着色部
４２  第２着色部
４３  第３着色部
４４  第４着色部
５０  裏貼シート
５０  裏貼シート
６０  縁取り部材
７０  織機
７１  シャトル
７２  ヘドル
７３  リード
８０  着色装置
８１  コンベア
８２  着色アーム
８３  ノズル
Ｈ  幅
Ｕ  断面
Ｗ１  配列間隔
Ｗ２  配列間隔
【図１】
0003214646.tif 000003
【図２】
0003214646.tif 000004
【図３】
0003214646.tif 000005
【図４】
0003214646.tif 000006
【図５】
0003214646.tif 000007
【図６】
0003214646.tif 000008
【図７】
0003214646.tif 000009
【図８】
0003214646.tif 000010
【図９】
0003214646.tif 000011
【手続補正書】
【提出日】平成29年11月22日(2017.11.22)
【手続補正１】
【補正対象書類名】実用新案登録請求の範囲
【補正対象項目名】請求項３
【補正方法】変更
【補正の内容】
【請求項３】
前記連結糸は撚糸からなり、その太さは１〜１０ｍｍとされている請求項１又は２記載の竹製マット。